(57)【特許請求の範囲】
【請求項１】
複数の光源と、該複数の光源からの光ビームを対称な２方向に振り分けて偏向走査する光偏向器と、該光偏向器を中心にして前記２方向に対称に配置され、前記光偏向器により偏向走査される複数の光ビームをそれぞれ対応する被走査面上に導き結像する光学系を備え、複数の光源、光偏向器及び光学系を一つのハウジングに収納した光書込装置において、
前記ハウジングは、前記光偏向器と前記光学系が配設される基盤と、該基盤の周囲を囲む枠状の側壁とを有すると共に、前記基盤が前記側壁の略中央部に設けられてハウジングを上下に仕切る構造とし、前記複数の光源は前記ハウジングの側壁に配置し、前記光偏向器は前記基盤の略中央部に配置し、前記光学系を構成する第１の結像用レンズ及び第１の折り返しミラーを前記基盤の上面側に、前記光学系を構成する第２の結像用レンズ及び第２の折り返しミラーを前記基盤の下面側に分けて配置した構成とし、
かつ前記基盤には前記２方向のそれぞれに前記複数の光ビームを通過する複数の開口部が前記複数の光ビームに対応してそれぞれ設けられており、前記２方向のそれぞれにおいて前記基盤における開口部と開口部との間には該基板の下面に立設した部位を有し、
前記基盤の下面に立設した部位には、前記第２の結像用レンズの長手方向の両端部を支持するレンズ支持部と、前記第２の結像用レンズの湾曲量を調整して被走査面上での走査線曲りを複数の光ビーム間で一致させるための真直度調整手段を有し、
前記真直度調整手段は、前記第２の結像用レンズの長手方向の略中央部に対向する位置における前記基盤の下面に立設した部位に設けられており、前記真直度調整手段は、前記第２の結像用レンズの長手方向の略中央部を前記基盤側に加圧するバネ部材と、前記基盤の下面に立設した部位に螺合され、該バネ部材の加圧力に抗して前記第２の結像用レンズの略中央部を支持するネジ部材を有することを特徴とする光書込装置。
【請求項２】
並設された複数の像担持体と、その複数の像担持体の被走査面上に光ビームを照射して潜像を書き込む光書込手段と、各像担持体に形成された潜像を異なる色の現像剤で現像して可視像化する現像手段と、各像担持体の位置に順次転写材を搬送し各像担持体上に形成された各色の可視像を転写材に重ね合わせて転写する転写搬送手段と、転写材上に転写された画像を定着する定着手段を備えた画像形成装置において、
前記光書込手段として、請求項１に記載の光書込装置を備えたことを特徴とする画像形成装置。
【発明の詳細な説明】
【０００１】
【発明の属する技術分野】
本発明は、並設された複数の像担持体の被走査面上に光ビームを照射して潜像を書き込む光書込装置、及びその光書込装置を備え多色画像を形成する複写機、プリンタ、ファクシミリ、プロッタ等の画像形成装置に関する。
【０００２】
【従来の技術】
従来、複数の光源から出射される光ビームを、並設された４つの像担持体（例えば、感光体ドラム）に照射して潜像の書き込みを行い、各像担持体上に形成された潜像を異なる色の現像剤（例えば、イエロー、マゼンタ、シアン、ブラックのトナー）でそれぞれ現像して可視像化した後、転写搬送ベルト等に担持された記録用紙等の転写材を各像担持体の転写部に順次搬送し、各像担持体上に形成された各色の可視像を転写材に重ね合わせて転写した後、転写材上に転写された画像を定着して多色画像を得るタンデム式のカラー画像形成装置が知られている。
このようなタンデム式のカラー画像形成装置において、従来から各像担持体への潜像書き込みを像担持体毎に個別的に設けた光書込装置により別個に行うものが知られているが、ポリゴンミラーとその駆動用モータからなる光偏向器を用いた光書込装置は比較的高価であり、各像担持体毎に個別に光書込装置を設けることは部品コストや製造コストの点で問題がある。
また、光偏向器を有する光書込装置を像担持体の数に対応して複数設置するためには大きな設置スペースを必要とするため、画像形成装置全体が大型化するという問題もある。
【０００３】
そこで、タンデム式のカラー画像形成装置の低コスト化、小型化を図るために、複数の像担持体へ光書込みを行う手段として、光偏向器を複数の光源で共通化し、一つの光偏向器で複数の光源からの光ビームを同時に偏向走査して複数の像担持体に照射し光書き込みを行う光書込装置が知られている。
【０００４】
【発明が解決しようとする課題】
上記のように一つの光偏向器で複数の光源からの光ビームを同時に偏向走査して複数の像担持体に照射し光書き込みを行う光書込装置は、複数の光源ユニットと、一つの光偏向器と、光偏向器を中心にして２方向に対称に配置され光偏向器により偏向走査される複数の光ビームをそれぞれ対応する被走査面上に導き結像する光学系とを備えた構成であり、これらの光学部材を一つのハウジングに収納した構成であるので、従来の複数の光書込装置を備えた構成と比べて部品点数を削減でき、設置スペースも小さくて済むので、画像形成装置の低コスト化、小型化を図ることができる。
【０００５】
上記のような構成の光書込装置を備え、フルカラー画像を形成する画像形成装置の場合、通常、複数の光源ユニットとして、ブラック用の光源ユニットと、カラー用の３つの光源ユニット（例えばシアン、マゼンタ、イエロー用の光源ユニット）が設けられており、白黒画像を形成する白黒モード時にはブラック用の光源ユニットのみが使用され、カラー画像を形成するカラーモードの時には上記４つの光源ユニットが使用される。
そして、カラーモード時にはブラック用とカラー用の合わせて４つの光源ユニットを使用し、この４つの光源ユニットからの光ビームを一つの光偏向器で同時に偏向走査してそれぞれ光学系を介して４つの像担持体に照射し光書き込みを行う。
【０００６】
光書込装置の光偏向器以降の光学系としては、各光ビームに対応して設けられた結像用レンズと光路折り返しミラー等から構成され、結像用レンズとしては、ｆθレンズやトロイダルレンズ等が用いられているが、光偏向器による走査ビームは光偏向器から離れるに従って走査領域が広がっていくので、光出射側に配置されるレンズは主走査方向に長尺なレンズ（以後、長尺レンズと言う）となる。この長尺レンズは、主走査方向に長尺な形状のため歪みや撓みが発生しやすく、この歪みや撓みによりレンズの母線が曲り、被走査面上を光ビームで走査する際に走査線の曲りが発生する場合がある。そして、この走査線曲りが各色の光ビーム間で異なると、転写材上に形成したカラー画像に色ずれが発生し、画像品質が低下する原因となる。
【０００７】
そこで、この走査線曲りを補正・軽減させるために、従来は平行平板ガラスからなる防塵ガラスを、偏向走査される光ビームに対して傾けて配置し、その防塵ガラスの厚みや傾斜角度を変えて走査線曲りの調整を行っていたが、走査線曲りを調整するために数種類の防塵ガラスを用意するのは無駄である。また、防塵ガラスを厚くした場合には、非点隔差等の他の光学特性が劣化する原因となる。また、光ビームが長尺レンズに入射する前の光路上に設けた光路折り返し用のミラーの角度を調整して走査線曲りを調整することも行なわれているが、この場合、ミラーの角度を変えることにより走査線位置をずらすことになり、ビーム径を悪化させる原因となる。また、各光ビーム間で走査線位置がずれる原因ともなる。
【０００８】
本発明は上記事情に鑑みなされたものであって、偏向走査される光ビームを被走査面上に結像する結像用レンズに長尺レンズを使用した場合に発生する走査線曲りを簡易に調整でき、複数の光ビーム間で走査線曲りが一致するように補正して色ずれの発生を防止することができる光書込装置を提供することを目的とし、さらには、その光書込装置を具備し、画像品質の向上を図ることができる画像形成装置を提供することを目的とする。
【０００９】
【課題を解決するための手段】
上記目的を達成するため、本発明では、複数の光源と、該複数の光源からの光ビームを対称な２方向に振り分けて偏向走査する光偏向器と、該光偏向器を中心にして前記２方向に対称に配置され、前記光偏向器により偏向走査される複数の光ビームをそれぞれ対応する被走査面上に導き結像する光学系を備え、複数の光源、光偏向器及び光学系を一つのハウジングに収納した光書込装置において、前記ハウジングは、前記光偏向器と前記光学系が配設される基盤と、該基盤の周囲を囲む枠状の側壁とを有すると共に、前記基盤が前記側壁の略中央部に設けられてハウジングを上下に仕切る構造とし、前記複数の光源は前記ハウジングの側壁に配置し、前記光偏向器は前記基盤の略中央部に配置し、前記光学系を構成する第１の結像用レンズ及び第１の折り返しミラーを前記基盤の上面側に、前記光学系を構成する第２の結像用レンズ及び第２の折り返しミラーを前記基盤の下面側に分けて配置した構成とし、かつ前記基盤には前記２方向のそれぞれに前記複数の光ビームを通過する複数の開口部が前記複数の光ビームに対応してそれぞれ設けられており、前記２方向のそれぞれにおいて前記基盤における開口部と開口部との間には該基板の下面に立設した部位を有し、前記基盤の下面に立設した部位には、前記第２の結像用レンズの長手方向の両端部を支持するレンズ支持部と、前記第２の結像用レンズの湾曲量を調整して被走査面上での走査線曲りを複数の光ビーム間で一致させるための真直度調整手段を有し、前記真直度調整手段は、前記第２の結像用レンズの長手方向の略中央部に対向する位置における前記基盤の下面に立設した部位に設けられており、前記真直度調整手段は、前記第２の結像用レンズの長手方向の略中央部を前記基盤側に加圧するバネ部材と、前記基盤の下面に立設した部位に螺合され、該バネ部材の加圧力に抗して前記第２の結像用レンズの略中央部を支持するネジ部材を有する構成とした（請求項１）。
【００１１】
さらに、本発明では、並設された複数の像担持体と、その複数の像担持体の被走査面上に光ビームを照射して潜像を書き込む光書込手段と、各像担持体に形成された潜像を異なる色の現像剤で現像して可視像化する現像手段と、各像担持体の位置に順次転写材を搬送し各像担持体上に形成された各色の可視像を転写材に重ね合わせて転写する転写搬送手段と、転写材上に転写された画像を定着する定着手段を備えた画像形成装置において、前記光書込手段として、請求項１に記載の光書込装置を備えた構成とした（請求項２）。
【００１２】
【発明の実施の形態】
以下、本発明に係る光書込装置及び画像形成装置の構成、動作及び作用について図示の実施例に基づいて詳細に説明する。
図１は本発明の一実施例を示す光書込装置の断面図であり、図２は図１に示す光書込装置の光偏向器より左側の部分を拡大して示す要部断面図である。また、図３は図１に示す光書込装置を備えた画像形成装置の一例を示す概略構成図である。また、図４は図１に示す光書込装置の基盤上面側の構成を示す平面図である（尚、図１は図４のＡ−Ａ’線部分の断面構成を示している）。さらに、図５は図１に示す光書込装置の構成から光偏向器及び光学系を抜き出してその配置構成を示したものであり、図６は図４に示す基盤上面側の構成から光源ユニット、光偏向器及び光学系を抜き出してその配置構成を示したものである。
【００１３】
図３に示す構成の画像形成装置は、複数の像担持体として、複数のドラム状の光導電性感光体（以下、感光体ドラム）１，２，３，４を並置したフルカラー画像形成装置であり、この４つの感光体ドラム１，２，３，４は、例えば図に対して右から順に、イエロー（Ｙ）、マゼンタ（Ｍ）、シアン（Ｃ）、ブラック（Ｂｋ）の各色に対応した画像を形成するものである（尚、色の順はこの限りではなく任意に設定することができる）。その４つの感光体ドラム１，２，３，４の各々の周囲には、電子写真プロセスにより画像形成を行うための、帯電部（帯電ローラ、帯電ブラシ、帯電チャージャ等）６，７，８，９と、光書込装置５からの光ビームＬ１，Ｌ２，Ｌ３，Ｌ４の露光部と、現像部（Ｙ，Ｍ，Ｃ，Ｂｋの各色の現像装置）１０，１１，１２，１３と、転写搬送ベルト２２ａ及びその裏面に配置された転写手段（転写ローラ、転写ブラシ等）１４，１５，１６，１７を備えた転写搬送装置２２と、クリーニング部（クリーニングブレード、クリーニングブラシ等）１８，１９，２０，２１などが配設されており、それぞれの感光体ドラム１，２，３，４に各色の画像形成を行うことが可能となっている。
【００１４】
光書込装置５は、４つの感光体ドラム１，２，３，４が並設された作像部の斜め上方に配置され、画像形成装置の本体フレーム２９，３０に固定されている。この光書込装置５は、図１，２，４，５，６に構成例を示すように、４つの光源ユニット５２，５３，５４，５５と、各光源ユニットからの光ビームＬ１，Ｌ２，Ｌ３，Ｌ４を対称な２方向に振り分けて偏向走査する光偏向器６２と、この光偏向器６２を中心にして前記２方向に対称に配置され、光偏向器６２により偏向走査される複数の光ビームＬ１，Ｌ２，Ｌ３，Ｌ４をそれぞれ対応する感光体ドラム１，２，３，４の被走査面上に導き結像する光学系（結像用レンズ６３，６４，６９，７０，７１，７２、光路折り返し用のミラー６５，６６，６７，６８，７３，７４，７５，７６，７７，７８，７９，８０等の光学部材からなる）を備えており、これらの構成部材は一つのハウジング５０内に収納されている。
【００１５】
より具体的には、ハウジング５０は、光偏向器６２や光学系が配設される基盤５０Ａと、基盤５０Ａの周囲を囲む枠状の側壁５０Ｂとを有すると共に、基盤５０Ａが側壁５０Ｂの略中央部に設けられてハウジング５０を上下に仕切る構造であり、４つの光源ユニット５２，５３，５４，５５はハウジング５０の側壁５０Ｂに配置され、光偏向器６２はハウジング５０の基盤５０Ａの略中央部に配置され、光学系を構成する光学部材（結像用レンズ６３，６４，６９，７０，７１，７２、光路折り返し用のミラー６５，６６，６７，６８，７３，７４，７５，７６，７７，７８，７９，８０等）は基盤５０Ａの両面（上面側と下面側）に分けて配設されている。また、ハウジング５０の上部と下部にはカバー８７，８８が設けられており、下部側のカバー８７には光ビームを通過する開口が設けられ、その開口には防塵ガラス８３，８４，８５，８６が取り付けられている。
【００１６】
この光書込装置５では、図示しない原稿読み取り装置（スキャナー）あるいは画像データ出力装置（パーソナルコンピュータ、ワードプロセッサ、ファクシミリの受信部等）から入力される色分解された画像データを光源駆動用の信号に変換し、それに従い各光源ユニット５２，５３，５４，５５内の光源（半導体レーザ（ＬＤ））を駆動して光ビームを出射する。各光源ユニット５２，５３，５４，５５から出射された光ビームは、面倒れ補正用のシリンドリカルレンズ５６，５７，５８，５９を通り、直接あるいはミラー６０，６１を介して光偏向器６２に至り、ポリゴンモータ６２ｃで等速回転されている２段のポリゴンミラー６２ａ，６２ｂで対称な２方向に偏向走査される。尚、図１，２，５に示す構成ではポリゴンミラーはＬ２，Ｌ３の光ビーム用と、Ｌ１，Ｌ４の光ビーム用の上下２段に分けた構成となっているが、１つの厚めのポリゴンミラーで４つの光ビームを偏向走査する構成としてもよい。
【００１７】
光偏向器６２のポリゴンミラー６２ａ，６２ｂで２ビームづつ２方向に偏向走査された光ビームは、例えば上下２層構成のｆθレンズからなる第1の結像用レンズ６３，６４をそれぞれ通過し、第１折り返しミラー６５，６６，６７，６８により折り返されて基盤５１の開口部を通過した後、例えば長尺トロイダルレンズ（ＷＴＬ）からなる第２の結像用レンズ６９，７０，７１，７２を通過し、第２折り返しミラー７３，７５，７７，７９、第３折り返しミラー７４，７６，７８，８０、防塵ガラス８３，８４，８５，８６を介して各色用の感光体ドラム１，２，３，４の被走査面上に照射され静電潜像を書き込む。
【００１８】
尚、上記の光書込装置５において、４つの光源ユニット５２，５３，５４，５５は、光源である半導体レーザ（ＬＤ）とその半導体レーザの出射光束をコリメートするコリメートレンズから構成され、これらがホルダーに一体に組み込まれた構成であるが、白黒画像形成時に多用されるブラック用の光源ユニット（例えば符号５４の光源ユニット）は、高速書込を可能とするために、２つ以上の光源（ＬＤ）とコリメートレンズの組を備えたマルチビーム構成としてもよい。また、マルチビーム構成とした場合には、ハウジング５０の側壁５０Ｂに対して光源ユニットを光軸中心に回転可能に構成すれば、副走査方向のビームピッチを調整することができ、白黒画像形成時に画素密度（例えば６００ｄｐｉ，１２００ｄｐｉ等）を切り替えることが可能となる。
【００１９】
さらに、各光ビームＬ１，Ｌ２，Ｌ３，Ｌ４の光路には、主走査方向の走査開始位置の光束を取り出すための図示しない同期検知用ミラーが設けられており、同期検知用ミラーで反射された光束は、図５中に破線で示すように同期検知器８１，８２で受光されて走査開始の同期信号が出力される。また、図５に示すように、Ｌ１，Ｌ２，Ｌ３の光ビームの光路に配置された第３折り返しミラー７４，７６，７８にはスキュー調整用のステッピングモータ９２，９３，９４が設けられており、Ｌ１の光ビームの走査線位置を基準にして、Ｌ１，Ｌ２，Ｌ３の光ビームの走査線位置のずれ（傾き）を補正している。
【００２０】
尚、光偏向器６２によって偏向走査される光ビームの走査方向が主走査方向であり、これは各感光体ドラム１〜４の軸方向である。また、この主走査方向に直交する方向が副走査方向であり、これは感光体ドラム１〜４の回転方向（感光体ドラム表面の移動方向）であり、さらには後述する転写搬送ベルト２２ａの搬送方向である。すなわち転写搬送ベルト２２ａの幅方向が主走査方向、搬送方向が副走査方向となる。
【００２１】
図３に示すように、並設された４つの感光体ドラム１，２，３，４の下には駆動ローラと複数の従動ローラに張架された転写搬送ベルト２２ａが配設されており、駆動ローラにより図中に矢印で示す方向に搬送されている。また、画像形成装置の本体下部には記録用紙等の転写材を収納した複数の給紙部２３，２４が設置されており、この給紙部２３，２４に収納された転写材が、給紙ローラ、搬送ローラ、レジストローラ２５を介して転写搬送ベルト２２ａに給紙され、転写搬送ベルト２２ａにより担持され搬送される。
【００２２】
前記光書込装置５により各感光体１，２，３，４に形成された各潜像は、各現像部１０，１１，１２，１３のＹ，Ｍ，Ｃ，Ｂｋの各色のトナーで現像されて顕像化され、その顕像化されたＹ，Ｍ，Ｃ，Ｂｋの各色のトナー画像は、転写搬送装置２２の各転写手段１４，１５，１６，１７により転写搬送ベルト２２ａ上に担持された転写材に順次重ね合わせて転写される。そして、４色の画像が転写された転写材は定着装置２６に搬送され、定着装置２６で画像が定着された後、排紙ローラ２７により排紙トレイ２８上に排出される。
【００２３】
以上、本発明に係る光書込装置及び画像形成装置の基本的な構成・動作について説明したが、本発明に係る光書込装置５では、ハウジング５０は、光偏向器６２や光学系が配設される基盤５０Ａと、基盤５０Ａの周囲を囲む枠状の側壁５０Ｂとを有すると共に、基盤５０Ａが側壁５０Ｂの略中央部に設けられてハウジング５０を上下に仕切る構造であり、４つの光源ユニット５２，５３，５４，５５はハウジング５０の側壁５０Ｂに配置され、光偏向器６２はハウジング５０の基盤５０Ａの略中央部に配置され、光学系を構成する光学部材（結像用レンズ６３，６４，６９，７０，７１，７２、光路折り返し用のミラー６５，６６，６７，６８，７３，７４，７５，７６，７７，７８，７９，８０等）は基盤５０Ａの両面（上面側と下面側）に分けて配設されている構成なので、光学系の全体の光路長を確保しながら光書込装置５のハウジング５０の大きさは光路長の半分以下となるので、光書込装置５のコンパクト化を達成することができる。
また、図１に示す構成の画像形成装置では、４つの感光体ドラム１，２，３，４が並設された作像部や光書込装置５及び転写搬送装置２２が画像形成装置本体内にコンパクトに収納され、さらには水平方向（図中のＸ方向）に対して斜めに設置されているので、従来の水平配置に比べて設置スペースが小さくて済み、タンデム式のカラー画像形成装置の更なる小型化を達成することができる。
【００２４】
ところで、上記構成の光書込装置５においては、光偏向器６２以降の光学系は、各光ビームＬ１〜Ｌ４に対応して設けられた結像用レンズ６３，６４，６９，７０，７１，７２と光路折り返し用のミラー６５，６６，６７，６８，７３，７４，７５，７６，７７，７８，７９，８０等から構成され、結像用レンズとしては、２層構成のｆθレンズからなる第１の結像用レンズ６３，６４と、長尺トロイダルレンズ（ＷＴＬ）からなる第２の結像用レンズ６９，７０，７１，７２が用いられているが、光偏向器６２による走査ビームは光偏向器６２から離れるに従って走査領域が広がっていくので、光出射側に配置される第２の結像用レンズ（長尺トロイダルレンズ）６９，７０，７１，７２は主走査方向にかなり長尺なレンズとなる。この長尺トロイダルレンズ６９，７０，７１，７２は、主走査方向に長尺な形状のため歪みや撓みが発生しやすく、この歪みや撓みによりレンズの母線が曲り、被走査面上を光ビームで走査する際に走査線の曲りが発生する場合がある。そしてこの走査線曲りが各色の光ビーム間で異なると、転写材上に形成したカラー画像に色ずれが発生し、画像品質が低下する原因となる。
【００２５】
そこで本発明では、長尺トロイダルレンズ６９，７０，７１，７２は、感光体ドラム１，２，３，４の被走査面上での走査線曲りを４つの光ビーム間で一致させるための真直度調整手段を有する構成とした。
ここで図２は光書込装置５の光偏向器６２より左側の部分のみ示しているが、図２に示すように、長尺トロイダルレンズ７１，７２は、長手方向（図２の紙面に垂直な方向）の両端部をハウジング５０の基盤５０Ａに設けたレンズ支持部９２，９９に支持され、前記真直度調整手段は、長尺トロイダルレンズ７１，７２の長手方向の略中央部に設けられ、該長尺レンズの湾曲量（撓み量）を調整する手段である。
【００２６】
具体的には、長尺トロイダルレンズ７１，７２は、長手方向の両端部をハウジング５０の基盤５０Ａに設けたレンズ支持部９２，９９にバネ部材９４，１００を用いて加圧支持される構成とした。
また、真直度調整手段は、長尺トロイダルレンズ７１，７２の長手方向の略中央部をハウジング５０の基盤５０Ａ側に加圧する手段８９，９７と、該加圧手段８９，９７の加圧力に抗して長尺トロイダルレンズ７１，７２の略中央部を反対方向に移動調整する手段９０，９８を有する構成とした。
より具体的には、真直度調整手段の加圧手段８９，９７は、一端側をハウジングの基盤５０Ａ側に設けた掛止部５０Ｄ，５０Ｆに固定され、他端側で長尺トロイダルレンズ７１，７２の長手方向の略中央部をハウジングの基盤側に加圧するバネ部材（例えば板バネ）であり、該バネ部材の加圧力に抗して長尺トロイダルレンズ７１，７２の略中央部を反対方向に移動調整する手段９０，９８は、基盤５０Ａ側の保持部に螺合され先端部で長尺トロイダルレンズ７１，７２の略中央部を支持するネジ部材（移動調整ネジ）である。
【００２７】
尚、以上は光偏向器６２の左側に配置された長尺トロイダルレンズ７１，７２の部分の構造であるが、光偏向器６２の右側の光学系は、左側の光学系と略対称に配設されているので、光偏向器６２の右側に配置された長尺トロイダルレンズ６９，７０の部分の構造も図２と略同様の構造となる。
【００２８】
次に長尺トロイダルレンズの取付け部の構成と真直度調整手段のより具体的な実施例を示す。ここでは一例として符号７１の長尺トロイダルレンズの部分について説明する。
図７は長尺トロイダルレンズ７１の取付け部の概略構成を示す要部斜視図であり、ハウジング５０の基盤５０Ａの下側から見た図である。また、図８は図７に示す長尺トロイダルレンズの取付け部を光軸方向（光ビームの出射方向）から見た図である。
【００２９】
図７，８に示すように、長尺トロイダルレンズ７１は、長手方向の両端部をハウジングの基盤５０Ａに設けたレンズ支持部９１，９２にバネ部材９３，９４を用いて支持固定されている。
より具体的には、長尺トロイダルレンズ７１は、両端部の上面側をレンズ支持部９１，９２のレンズ受け面（台座）９１Ａ，９２Ａに当接した状態で、レンズ支持部９１，９２にネジ９５，９６で固定されたバネ部材９３，９４の板バネ部９３Ａ，９４Ａにより下面側からレンズ受け面（台座）９１Ａ，９２Ａ側に加圧され支持されると共に、長尺トロイダルレンズ７１の両端部に設けたフランジ部７１Ｂ，７１Ｃの背面側をレンズ支持部９１，９２のフランジ受け部９１Ｂ，９２Ｂに当接された状態で、バネ部材９３，９４の板バネ部９３Ｂ，９４Ｂにより前面側からフランジ受け部９１Ｂ，９２Ｂ側に加圧され支持されている。
したがって、長尺トロイダルレンズ７１は長手方向の両端部をハウジングの基盤５０Ａに設けたレンズ支持部９１，９２のレンズ受け面（台座）９１Ａ，９２Ａとフランジ受け部９１Ｂ，９２Ｂにバネ部材９３，９４の板バネ部９３Ａ，９３Ｂ，９４Ａ，９４Ｂにより加圧支持されており、中央部は浮いた状態である。
【００３０】
長尺トロイダルレンズ７１の上面側の略中央部には突起部７１Ａが設けられており、この突起部７１Ａに近接した位置に立設されている基盤５０Ａの壁部５０Ｃには突起状の掛止部５０Ｄが設けられている。真直度調整手段の加圧手段である板バネ８９は、一端側の穴部８９Ａを基盤側の壁部５０Ｃに設けた掛止部５０Ｄに係合して固定され、他端側のＵ字形に折り曲げられた先端部で長尺トロイダルレンズ７１の突起部５０Ｄを掛止し、そのバネ力で長尺トロイダルレンズ７１の長手方向の略中央部を基盤５０Ａ側に加圧する。
【００３１】
また、基盤５０Ａの壁部５０Ｃの上記掛止部５０Ｄに隣接した位置には、板バネ８９の加圧力に抗して長尺トロイダルレンズ７１の略中央部を反対方向に移動調整するためのネジ部材（移動調整ネジ）９０を保持する保持部５０Ｅが設けられており、移動調整ネジ９０は、基盤壁部５０Ｃ側の保持部５０Ｅに螺合され先端部で長尺トロイダルレンズ７１の略中央部を支持している。そして、この移動調整ネジ９０を回して長尺トロイダルレンズ７１の略中央部を光軸に略直交する方向に移動調整することにより、長尺トロイダルレンズ７１の湾曲量（撓み量）を調整することができる。
【００３２】
図７，８に示す構成の真直度調整手段では、板バネ８９のバネ力で長尺トロイダルレンズ７１の長手方向の略中央部を基盤５０Ａ側に加圧して長尺トロイダルレンズ７１を一旦基盤側に湾曲させた（撓ませた）状態とした後、移動調整ネジ９０により、板バネ８９の加圧力に抗して長尺トロイダルレンズ７１の略中央部を反対方向に移動調整し、長尺トロイダルレンズ７１の湾曲量（撓み量）を調整するので、長尺トロイダルレンズ７１の湾曲（母線の曲り）を殆ど無くすことができ、感光体ドラム上での走査線の曲りを最小限に補正することが可能である。
【００３３】
尚、図７，８では符号７１の長尺トロイダルレンズの取付け部の構成例を示したが、図示の構成に限るものではなく、ハウジングの基盤形状や取付け位置等によって種々の変更がなされるものである。すなわち、基本的には長尺トロイダルレンズは、長手方向の両端部をハウジングの基盤に設けたレンズ支持部にバネ部材を用いて加圧支持される構成とし、また、真直度調整手段は、長尺トロイダルレンズの長手方向の略中央部をハウジングの基盤側に加圧するバネ部材と、該バネ部材の加圧力に抗して長尺トロイダルレンズの略中央部を反対方向に移動調整する移動調整ネジを有する構成であれば良い。
【００３４】
上述のような構成の真直度調整手段を光書込装置５の各長尺トロイダルレンズ６９，７０，７１，７２に設けることにより、４つの光ビームの走査線曲りを簡易に調整することができ、４つの光ビーム間で走査線曲りが一致するように補正して色ずれの発生を防止することができる。具体的には、各長尺トロイダルレンズ６９，７０，７１，７２の歪みや撓みにより、図９（ａ）に示すように、Ｙ，Ｍ，Ｃ，Ｂｋ用の各光ビームの走査線曲りが異なっている場合にも、各長尺トロイダルレンズ６９，７０，７１，７２に上述したような構成の板バネと移動調整ネジからなる真直度調整手段を設けておき、板バネのバネ力で長尺トロイダルレンズの長手方向の略中央部を基盤側に加圧して長尺トロイダルレンズ７１を一旦基盤側に湾曲させた（撓ませた）状態とし、図９（ｂ）に示すようにＹ，Ｍ，Ｃ，Ｂｋ用の各光ビームの走査線曲りを同じ方向に揃えた後、移動調整ネジにより、板バネの加圧力に抗して長尺トロイダルレンズの略中央部を反対方向に移動調整し、各長尺トロイダルレンズ６９，７０，７１，７２の湾曲量（撓み量）を調整すれば、各長尺トロイダルレンズ６９，７０，７１，７２の湾曲（母線の曲り）を殆ど無くすことができ、図９（ｃ）に示すようにＹ，Ｍ，Ｃ，Ｂｋ用の各光ビームの走査線曲りを一致させると共に、走査線曲りを最小にすることができる。従って、４つの光ビーム間で走査線曲りを補正して色ずれの発生を防止することができ、画像品質を向上することができる。
【００３５】
【発明の効果】
以上説明したように、本発明では、複数の光源と、該複数の光源からの光ビームを対称な２方向に振り分けて偏向走査する光偏向器と、該光偏向器を中心にして前記２方向に対称に配置され、前記光偏向器により偏向走査される複数の光ビームをそれぞれ対応する被走査面上に導き結像する光学系を備え、複数の光源、光偏向器及び光学系を一つのハウジングに収納した光書込装置において、前記ハウジングは、前記光偏向器と前記光学系が配設される基盤と、該基盤の周囲を囲む枠状の側壁とを有すると共に、前記基盤が前記側壁の略中央部に設けられてハウジングを上下に仕切る構造とし、前記複数の光源は前記ハウジングの側壁に配置し、前記光偏向器は前記基盤の略中央部に配置し、前記光学系を構成する第１の結像用レンズ及び第１の折り返しミラーを前記基盤の上面側に、前記光学系を構成する第２の結像用レンズ及び第２の折り返しミラーを前記基盤の下面側に分けて配置した構成とし、かつ前記基盤には前記２方向のそれぞれに前記複数の光ビームを通過する複数の開口部が前記複数の光ビームに対応してそれぞれ設けられており、前記２方向のそれぞれにおいて前記基盤における開口部と開口部との間には該基板の下面に立設した部位を有し、前記基盤の下面に立設した部位には、前記第２の結像用レンズの長手方向の両端部を支持するレンズ支持部と、前記第２の結像用レンズの湾曲量を調整して被走査面上での走査線曲りを複数の光ビーム間で一致させるための真直度調整手段を有し、前記真直度調整手段は、前記第２の結像用レンズの長手方向の略中央部に対向する位置における前記基盤の下面に立設した部位に設けられており、前記真直度調整手段は、前記第２の結像用レンズの長手方向の略中央部を前記基盤側に加圧するバネ部材と、前記基盤の下面に立設した部位に螺合され、該バネ部材の加圧力に抗して前記第２の結像用レンズの略中央部を支持するネジ部材を有する構成としたので（請求項１）、偏向走査される光ビームを被走査面上に結像する結像用レンズに長尺レンズを使用した場合に発生する走査線曲りを簡易に調整することが可能となる。
【００３６】
具体的には、本発明に係る光書込装置において、前記長尺レンズは、長手方向の両端部をハウジングの基盤に設けたレンズ支持部に支持され、前記真直度調整手段は、前記長尺レンズの長手方向の略中央部に設けられ、該長尺レンズの湾曲量（撓み量）を調整する手段であるので、真直度調整手段により長尺レンズの湾曲量（撓み量）を調整して母線の曲りを軽減することにより、被走査面上での走査線曲りを容易に調整することができる。
【００３７】
また、本発明に係る光書込装置においては、前記長尺レンズは、長手方向の両端部をハウジングの基盤に設けたレンズ支持部にバネ部材を用いて加圧支持される構成としたので、レンズ両端の固定部に若干の自由度があり（すなわち、レンズの熱膨張や湾曲を両端部の微小な移動で吸収する作用があり）、真直度調整手段により長尺レンズの湾曲量（撓み量）を調整する場合にも、長尺レンズが破損することが防止される。
【００３８】
さらに、本発明に係る光書込装置において、前記真直度調整手段は、前記長尺レンズの長手方向の略中央部をハウジングの基盤側に加圧する手段と、該加圧手段の加圧力に抗して長尺レンズの略中央部を反対方向に移動調整する手段を有する構成としたので、移動調整手段により長尺レンズの湾曲量（撓み量）を簡易に且つ精度良く調整することが可能となる。
【００３９】
より具体的には、本発明に係る光書込装置において、前記真直度調整手段の加圧手段は、一端側をハウジングの基盤の下面に立設した部位に設けた掛止部に固定され、他端側で前記長尺レンズの長手方向の略中央部をハウジングの基盤側に加圧するバネ部材であり、該バネ部材の加圧力に抗して長尺レンズの略中央部を反対方向に移動調整する手段は、前記基盤の下面に立設した部位に設けた保持部に螺合され先端部で長尺レンズの略中央部を支持するネジ部材であるので、バネ部材で長尺レンズを基盤側に湾曲させた後、バネ部材の加圧力に抗して移動調整ネジで長尺レンズの略中央部を反対方向に移動調整することにより、長尺レンズの湾曲量（撓み量）を簡易に且つ精度良く調整することができる。
【００４０】
さらに、本発明では、並設された複数の像担持体と、その複数の像担持体の被走査面上に光ビームを照射して潜像を書き込む光書込手段と、各像担持体に形成された潜像を異なる色の現像剤で現像して可視像化する現像手段と、各像担持体の位置に順次転写材を搬送し各像担持体上に形成された各色の可視像を転写材に重ね合わせて転写する転写搬送手段と、転写材上に転写された画像を定着する定着手段を備えた画像形成装置において、前記光書込手段として、請求項１に記載の光書込装置を備えた構成としたので（請求項２）、光書込装置の複数の光ビーム間で走査線曲りが一致するように補正して色ずれの発生を防止することができ、画像品質の向上を図ることができる。
【図面の簡単な説明】
【図１】本発明の一実施例を示す光書込装置の概略断面図である。
【図２】図１に示す光書込装置の光偏向器より左側の部分を拡大して示す要部断面図である。
【図３】図１に示す光書込装置を備えた画像形成装置の一例を示す概略構成図である。
【図４】図１に示す光書込装置の基盤上面側の構成を示す平面図である。
【図５】図１に示す光書込装置の構成から光偏向器及び光学系を抜き出してその配置構成を示した概略構成図である。
【図６】図４に示す基盤上面側の構成から光源ユニット、光偏向器及び光学系を抜き出してその配置構成を示した概略構成図である。
【図７】長尺トロイダルレンズの取付け部の一構成例を示す要部斜視図である。
【図８】図７に示す長尺トロイダルレンズの取付け部を光軸方向（光ビームの出射方向）から見た図である。
【図９】４つの光ビームの走査線曲りの一例と、その走査線曲りを補正する方法の説明図である。
【符号の説明】
１，２，３，４：感光体ドラム（像担持体）
５：光書込装置
６，７，８，９：帯電部
１０，１１，１２，１３：現像部（Ｙ，Ｍ，Ｃ，Ｂｋの各色の現像装置）
１４，１５，１６，１７：転写手段
１８，１９，２０，２１：クリーニング部
２２：転写搬送装置（転写搬送手段）
２２ａ：転写搬送ベルト
２３，２４：給紙部
２５：レジストローラ
２６：定着装置（定着手段）
２７：排紙ローラ
２８：排紙トレイ
２９，３０：画像形成装置本体の傾斜したフレーム
５０：ハウジング
５０Ａ：基盤
５０Ｂ：側壁
５０Ｃ：基盤の壁部
５０Ｄ，５０Ｆ：掛止部
５０Ｅ：保持部
５２，５３，５５：カラー用（Ｍ，Ｙ，Ｃ用）の光源ユニット
５４：ブラック用の光源ユニット
５６，５７，５８，５９：シリンドリカルレンズ
６０，６１：ミラー
６２：光偏向器
６２ａ，６２ｂ：ポリゴンミラー
６２ｃ：ポリゴンモータ
６３，６４：第１の結像用レンズ（２層構成のｆθレンズ）
６５，６６，６７，６８：第１折り返しミラー
６９，７０，７１，７２：第２の結像用レンズ（長尺トロイダルレンズ）
７１Ａ：突起部
７１Ｂ，７１Ｃ：フランジ部
７３，７５，７７，７９：第２折り返しミラー
７４，７６，７８，８０：第３折り返しミラー
８１，８２：同期検知器
８３，８４，８５，８６：防塵ガラス
８７，８８：カバー
８９，９７：加圧手段（バネ部材（板バネ））
９０，９８：移動調整手段（ネジ部材（移動調整ネジ））
９１，９２，９９：レンズ支持部
９３，９４：バネ部材
【図１】
0003980826.tif 000002
【図２】
0003980826.tif 000003
【図３】
0003980826.tif 000004
【図４】
0003980826.tif 000005
【図５】
0003980826.tif 000006
【図６】
0003980826.tif 000007
【図７】
0003980826.tif 000008
【図８】
0003980826.tif 000009
【図９】
0003980826.tif 000010